(57)【要約】  【課題】開閉不能な透明板または半透明板で覆われた大開口を実現できて現場での設置作業が容易なサッシユニットを有する組立ハウスを提供する。  【解決手段】本組立ハウス１では、一対の案内溝１５を相対向させて上下に延びる溝形材を用いた一対の柱３と、第１および第２のサッシユニット６，７とを含む。第１のサッシユニット６のサッシ枠２０では、開口９を開閉不能な透明板１０が覆う。第２のサッシユニット７のサッシ枠４０では、上部開口１１に開閉窓１３を設け、下部開口１２を透明板１４で覆う。サッシ枠２０，４０には、対応する柱３の案内溝１５内へ上方から落とし込んで上下にスライド装着可能な一対のスライド部２５をそれぞれ設けてあり、スライド部２５の奥行き寸法Ｌ１がサッシ枠２０の最大奥行き寸法に相当する。開口をサッシ枠の略全面に相当する大面積にできて、透明板で覆うことができる。  【選択図】  図１
0003105043.tif 000002
【実用新案登録請求の範囲】
【請求項１】
相対向して開放し上下に延びる構造材としての一対の溝形材と、
一対の溝形材によりそれぞれ区画される一対の案内溝と、
上枠、下枠および左右の縦枠を有するサッシ枠、並びにサッシ枠によって区画される開口を覆う透明板または半透明板を含むサッシユニットと、
サッシ枠の一対の縦枠にそれぞれ設けられ、対応する溝形材の案内溝内へ上方から落とし込んで上下にスライド装着可能な一対のスライド部とを備え、
上記スライド部の奥行き寸法がサッシ枠の最大奥行き寸法に相当することを特徴とする組立ハウス。
【請求項２】
相対向して開放し上下に延びる構造材としての一対の溝形材と、
一対の溝形材によりそれぞれ区画される一対の案内溝と、
上枠、下枠、左右の縦枠および左右の縦枠の上下方向の中間部を接続する中枠を有するサッシ枠、並びにサッシ枠により区画される上部開口を開閉可能に覆う開閉窓およびサッシ枠により区画される下部開口を覆う透明板または半透明板を含むサッシユニットと、
サッシ枠の一対の縦枠にそれぞれ設けられ、対応する溝形材の案内溝内へ上方から落とし込んで上下にスライド装着可能な一対のスライド部とを備え、
上記スライド部の奥行き寸法がサッシ枠の最大奥行き寸法に相当することを特徴とする組立ハウス。
【請求項３】
相対向して上下に延びる構造材と、
一対の構造材にそれぞれ設けられ相対向する一対の案内部としての案内面と、
上枠、下枠および左右の縦枠を有するサッシ枠、並びにサッシ枠によって区画される開口を覆う透明板または半透明板を含むサッシユニットと、
サッシ枠の一対の縦枠にそれぞれ設けられ、対応する案内面に沿って一対の構造材間に室外側から前後にスライド装着可能な一対のスライド部とを備え、
上記スライド部の奥行き寸法がサッシ枠の最大奥行き寸法に相当することを特徴とする組立ハウス。
【請求項４】
相対向して上下に延びる構造材と、
一対の構造材にそれぞれ設けられ相対向する一対の案内部としての案内面と、
上枠、下枠、左右の縦枠および左右の縦枠の上下方向の中間部を接続する中枠を有するサッシ枠、並びにサッシ枠により区画される上部開口を開閉可能に覆う開閉窓およびサッシ枠により区画される下部開口を覆う透明板または半透明板を含むサッシユニットと、
サッシ枠の一対の縦枠にそれぞれ設けられ、対応する案内面に沿って一対の構造材間に室外側から前後にスライド装着可能な一対のスライド部とを備え、
上記スライド部の奥行き寸法がサッシ枠の最大奥行き寸法に相当することを特徴とする組立ハウス。
【請求項５】
請求項２または４に記載の組立ハウスにおいて、上記開閉窓は、上部開口に嵌められてサッシ枠に係止される窓枠と、窓枠に開閉可能に支持される窓部材とを含む窓ユニットにより構成されることを特徴とする組立ハウス。
【請求項６】
請求項１から５の何れかに記載の組立ハウスにおいて、上記上枠、下枠および左右の縦枠の少なくとも一つは、断面四角環状をなす中空部を含み、この中空部内に溝形材を嵌め入れてあり、溝形材の少なくとも一対のフランジが上記中空部の対応する内面に沿わされていることを特徴とする組立ハウス。
【考案の詳細な説明】
【技術分野】
【０００１】
この考案は、例えば、仮設住宅、事務所等に利用される組立ハウスに関する。
【背景技術】
【０００２】
組立ハウスでは、スピーディに組み立てし、また解体できることが要求される。そのために、骨組となるＣ形チャンネル鋼材等の溝形材を柱として設置した後、例えば、壁パネルや、開閉扉等のサッシユニットを、相対向する一対のＣ形チャンネル鋼材の溝間に上から落とし込むことで設置している。
【考案の開示】
【考案が解決しようとする課題】
【０００３】
ところで、このような組立ハウスを店舗等に利用し、ショーウインドを設置したいという要請がある。
しかし、従来の組立ハウスには、ショーウインドに好適に大開口を開閉不能なガラス板で覆い上述のように落とし込みにより溝形材に組み込むことができるサッシユニットがなかったので、ショーウインドを設置するには、通例、ショーウインド用の枠を準備し、準備した枠を組立ハウスの柱材に現場で溶接により固定していた。その結果、ショーウインドの設置に多大な手間と費用がかかっていた。
【０００４】
また、店舗のショーウインドに限らず、組立ハウスにおいて、開閉不能なガラス板等の透明板または半透明板で覆われた大開口を容易に設置したいという要請がある。
そこで、本考案の目的は、開閉不能な透明板または半透明板で覆われた大開口を実現できて現場での設置作業が容易なサッシユニットを有する組立ハウスを提供することである。
【課題を解決するための手段】
【０００５】
上記の目的を達成するための本考案の組立ハウスは、相対向して開放し上下に延びる構造材としての一対の溝形材と、一対の溝形材によりそれぞれ区画される一対の案内溝と、上枠、下枠および左右の縦枠を有するサッシ枠、並びにサッシ枠によって区画される開口を覆う透明板または半透明板を含むサッシユニットと、サッシ枠の一対の縦枠にそれぞれ設けられ、対応する溝形材の案内溝内へ上方から落とし込んで上下にスライド装着可能な一対のスライド部とを備え、上記スライド部の奥行き寸法がサッシ枠の最大奥行き寸法に相当することを特徴とする。
【０００６】
この考案によれば、サッシ枠の開口をサッシ枠の略全面となる大面積に形成でき、この開口を開閉不能な透明板または半透明板で覆うことができる。例えば、ガラス板等の透明板を用いてショーウインド用に好適なサッシユニットを得ることができる。しかも、サッシユニットのスライド部を一対の溝形材の案内溝に上方から落とし込んでスライドさせて、一対の溝形材へのサッシユニットの設置作業を非常に容易にすることができる。さらに、サッシユニットを壁パネルと同様に扱うことができ、例えば、サッシユニットの設置の自由度を高くできる。
【０００７】
また、本考案の組立ハウスは、相対向して開放し上下に延びる構造材としての一対の溝形材と、一対の溝形材によりそれぞれ区画される一対の案内溝と、上枠、下枠、左右の縦枠および左右の縦枠の上下方向の中間部を接続する中枠を有するサッシ枠、並びにサッシ枠により区画される上部開口を開閉可能に覆う開閉窓およびサッシ枠により区画される下部開口を覆う透明板または半透明板を含むサッシユニットと、サッシ枠の一対の縦枠にそれぞれ設けられ、対応する溝形材の案内溝内へ上方から落とし込んで上下にスライド装着可能な一対のスライド部とを備え、上記スライド部の奥行き寸法がサッシ枠の最大奥行き寸法に相当するようにしてもよい。この場合、サッシ枠の上部開口および下部開口を合わせた大きさを、サッシ枠の略全面となる大面積に形成でき、下部開口を開閉不能な透明板または半透明板で覆うことができる。例えば、下部開口を大面積に形成しガラス板等の透明板で覆い、ショーウインド用に好適なサッシユニットを得ることができる。しかも、サッシユニットのスライド部を一対の溝形材の案内溝に上方から落とし込んでスライドさせて、一対の溝形材へのサッシユニットの設置作業を非常に容易にでき、さらに、サッシユニットを壁パネルと同様に扱うことができ、例えば、サッシユニットの設置の自由度を高くできる。これに加えて、開閉窓をサッシユニットに一体化してあるので、組立ハウスに必要な排煙窓を容易に設けることができる。
【０００８】
また、本考案の組立ハウスは、相対向して上下に延びる構造材と、一対の構造材にそれぞれ設けられ相対向する一対の案内部としての案内面と、上枠、下枠および左右の縦枠を有するサッシ枠、並びにサッシ枠によって区画される開口を覆う透明板または半透明板を含むサッシユニットと、サッシ枠の一対の縦枠にそれぞれ設けられ、対応する案内面に沿って一対の構造材間に室外側から前後にスライド装着可能な一対のスライド部とを備え、上記スライド部の奥行き寸法がサッシ枠の最大奥行き寸法に相当するようにしてもよい。この場合、サッシ枠の開口をサッシ枠の略全面となる大面積に形成でき、この開口を開閉不能な透明板または半透明板で覆うことができる。例えば、ガラス板等の透明板を用いてショーウインド用に好適なサッシユニットを得ることができる。しかも、サッシユニットのスライド部を一対の構造材に設けられた案内面に前後にスライドさせて、一対の溝形材へのサッシユニットの設置作業を非常に容易にすることができる。さらに、サッシユニットを壁パネルと同様に扱うことができ、例えば、サッシユニットの設置の自由度を高くできる。
【０００９】
また、本考案の組立ハウスは、相対向して上下に延びる構造材と、一対の構造材にそれぞれ設けられ相対向する一対の案内部としての案内面と、上枠、下枠、左右の縦枠および左右の縦枠の上下方向の中間部を接続する中枠を有するサッシ枠、並びにサッシ枠により区画される上部開口を開閉可能に覆う開閉窓およびサッシ枠により区画される下部開口を覆う透明板または半透明板を含むサッシユニットと、サッシ枠の一対の縦枠にそれぞれ設けられ、対応する案内面に沿って一対の構造材間に室外側から前後にスライド装着可能な一対のスライド部とを備え、上記スライド部の奥行き寸法がサッシ枠の最大奥行き寸法に相当するようにしてもよい。この場合、サッシ枠の上部開口および下部開口を合わせた大きさを、サッシ枠の略全面となる大面積に形成でき、下部開口を開閉不能な透明板または半透明板で覆うことができる。例えば、下部開口を大面積に形成しガラス板等の透明板で覆い、ショーウインド用に好適なサッシユニットを得ることができる。しかも、サッシユニットのスライド部を一対の構造材に設けられた案内面に前後にスライドさせて、一対の溝形材へのサッシユニットの設置作業を非常に容易にすることができ、さらに、サッシユニットを壁パネルと同様に扱うことができ、例えば、サッシユニットの設置の自由度を高くできる。これに加えて、開閉窓をサッシユニットに一体化してあるので、組立ハウスに必要な排煙窓を容易に設けることができる。
【００１０】
また、本考案では、上記開閉窓は、上部開口に嵌められてサッシ枠に係止される窓枠と、窓枠に開閉可能に支持される窓部材とを含む窓ユニットにより構成される場合がある。窓ユニットであれば、サッシユニットへ容易に組み込むことができる。
また、本考案では、上記上枠、下枠および左右の縦枠の少なくとも一つは、断面四角環状をなす中空部を含み、この中空部内に溝形材を嵌め入れてあり、溝形材の少なくとも一対のフランジが上記中空部の対応する内面に沿わされている場合がある。この場合、大面積の開口を有するサッシユニットを補強することができる。
【考案を実施するための最良の形態】
【００１１】
以下では、この考案の実施の形態を、添付図面を参照して詳細に説明する。図１は、本考案の第１実施形態の組立ハウスの要部の概略正面図である。
組立ハウス１は、図示しない基礎に沿って設置されるベース枠２と、ベース枠２の上に所定間隔をあけて立てられていて上下方向Ｚに延びる構造材としての複数の柱３と、柱３の上端部間を連結する天枠４と、天枠４の上に固定される屋根パネル５と、隣接する柱３，３間に設置されている第１および第２のサッシユニット６，７と、隣接する柱３，３間に設置されている壁パネル８とを有している。
【００１２】
なお、以下の説明では、隣接する一対の柱３が並ぶ方向を左右方向Ｘとし、上下方向Ｚおよび左右方向Ｘと直交する方向を前後方向Ｙとする。
壁パネル８の全面は不透明な板材（図示せず）により覆われている。第１のサッシユニット６は、その略全面に相当する大面積の開口９を有し、この開口９は透明板１０により開閉不能に覆われている。第２のサッシユニット７は、その上端部に設けられた上部開口１１と、この上部開口１１と仕切られてこの上部開口１１を除いた大部分に設けられている下部開口１２とを有し、上部開口１１は排煙窓用の開閉窓１３により開閉可能に覆われていて、下部開口１２は透明板１４により開閉不能に覆われている。
【００１３】
図１および図２を参照して、柱３は、溝形材、例えば、リップ溝形鋼を用いられていて、壁パネル８および第１および第２のサッシユニット６，７を落とし込むための案内溝１５を区画している。柱３は、互いに対向する一対のフランジ１６と、この一対のフランジ１６と逆向きに延びていて互いに対向する一対のフランジ１７と、２対のフランジ１６，１７の基端部を接続するウェブ１８とを有している。各フランジ１６，１７の先端に屈曲状にリップ１９が形成されていて、対をなすフランジ１６，１７のリップ１９同士は、互いに接近するように延びている。
【００１４】
柱３は、互いに逆向きに開放された２つの案内溝１５を有し、各案内溝１５は、対応する一対のフランジ１６，１７とウェブ１８と一対のリップ１９とにより区画され、案内溝１５の入口開口が一対のリップ１９の間に形成され、所定幅で上下に延びている。互いに隣り合う一対の柱３は案内溝１５をそれぞれ相対向させて開放している。
本実施形態では、壁パネル８および第１および第２のサッシユニット６，７が、隣接する一対の柱３，３間に、その一対の案内溝１５に上方から落とし込まれて取り付けられている（図２および図５参照）。
【００１５】
第１のサッシユニット６は、四角環状をなして内側に開口９を区画するサッシ枠２０と、サッシ枠２０に係止されていて開口９を覆う透明板１０とを含む。
サッシ枠２０は、上枠２１、下枠２２および左右の縦枠２３，２４を有する。上枠２１、下枠２２および左右の縦枠２３，２４は、例えばアルミニウム合金を押出成形されてなる中空の棒状部材である。上枠２１、下枠２２および左右の縦枠２３，２４の各部材の端部同士は互いに連結され、全体としてサッシ枠２０は矩形をなしていて、この矩形の内側に、上述の開口９がサッシ枠２０の外形の大きさに相当する大面積で区画されている。
【００１６】
サッシ枠２０の一対の縦枠２３，２４には、対応する柱３の案内溝１５内へ上方から落とし込んで上下にスライドさせて装着可能な一対のスライド部２５が、それぞれ設けられている。
図３を参照する。上枠２１は、断面四角環状をなす中空部２６と、中空部２６から開口９の内側へ向けて延設された一対の延設部２７とを含んでいる。一対の延設部２７は、互いに対向し、その間に、透明板１０を保持するための保持溝２８を形成しており、この保持溝２８に透明板１０を弾性部材２９を介して保持することができる。中空部２６の内側に、補強材としての２つの溝形材３０を嵌め入れてある。各溝形材３０は、鋼板を曲げ成形されてなり、互いに対向する一対のフランジ３１と、一対のフランジ３１の基端部３１ａを接続するウェブ３２とを有する。２つの溝形材３０のフランジ３１が互いに逆向きに延びるようにして、ウェブ３２同士が互いに沿うようにされた状態で、２つの溝形材３０のフランジ３１が上記中空部２６の対応する内面２６ａに沿わされている。
【００１７】
下枠２２は、上枠２１と同形状の部材を用いていて、上枠２１と同様に、中空部２６と、２つの延設部２７と、保持溝２８とを有し、また、中空部２６内に補強材としての２つの溝形材３０を嵌め入れてある。
図４を参照する。左の縦枠２３は、断面四角環状をなす中空部３３と、中空部３３から開口９の内側へ向けて延設された延設部３４と、この延設部３４に対向した状態で中空部３３に対して着脱可能に係止されている挟持部３５とを含む。挟持部３５と延設部３４との間に、透明板１０を保持するための保持溝３６を形成しており、この保持溝３６に透明板１０を弾性部材２９を介して保持することができる。中空部３３の内側に、補強材としての溝形材３７を嵌め入れてある。この溝形材３７は、鋼板を曲げ成形されてなり、互いに対向する一対のフランジ３８と、一対のフランジ３８の基端部３８ａを接続するウェブ３９とを有する。溝形材３７のウェブ３９および一対のフランジ３８が上記中空部３３の対応する内面３３ａに沿わされている。
【００１８】
右の縦枠２４は、左の縦枠２３と同形状の部材を用いていて、左の縦枠２３と同様に、中空部３３と、延設部３４と、挟持部３５と、保持溝３６とを有し、また、中空部３３内に補強材としての溝形材３７を嵌め入れてある。
スライド部２５は、第１のサッシユニット６の左右の側縁を形成して柱３の案内溝１５内に収容されているサッシ枠２０の一部分、具体的には対応する左右の縦枠２３，２４の一部分である。スライド部２５には、弾性部材２５ａが設けられていて、スライド部２５が案内溝１５に落とし込まれた状態で、弾性部材２５ａが弾性変形しつつ、スライド部２５と対応する対応する柱３のリップとの間に介在して、案内溝１５内でのスライド部２５のがたつきを防止できるようになっている。
【００１９】
また、本実施形態では、スライド部２５の奥行き寸法Ｌ１がサッシ枠２０の最大奥行き寸法に相当している。また、スライド部２５の奥行き寸法Ｌ１は、案内溝１５の入口開口の幅寸法Ｌ３よりも小さく設定されている。
透明板１０は、具体的には、ガラス板であり、サッシ枠２０に設けられた上述の保持溝２８，３６内に実質的に固定されている。
【００２０】
次に、第２のサッシユニット７を説明する。以下の説明では、上述の第１のサッシユニット６と異なる点を中心に説明し、同様の構成については説明を省略し同じ符号を付して図示する。また、後述する他の実施形態や変形例についても同様とする。
図５および図６を参照して、第２のサッシユニット７は、矩形の外形をなして内側に上部開口１１および下部開口１２を区画するサッシ枠４０と、上部開口１１を開閉可能に覆う開閉窓１３と、サッシ枠４０に係止されていて下部開口１２を覆う透明板１４とを含む。
【００２１】
サッシ枠４０は、上枠２１と、下枠２２と、左右の縦枠２３，２４と、左右の縦枠２３，２４の上下方向の中間部２３ａ，２４ａを接続する中枠４１とを有する。中枠４１は、例えばアルミニウム合金を押出成形されてなる中空の棒状部材であり、中枠４１の端部は、左右の縦枠２３，２４の中間部２３ａ，２４ａに固定されている。上枠２１と左右の縦枠２３，２４の上部と、中枠４１とで囲まれた内側に、上述の上部開口１１を区画している。下枠２２と左右の縦枠２３，２４の下部と、中枠４１とで囲まれた内側に、上述の下部開口１２を区画している。
【００２２】
開閉窓１３は、上部開口１１に嵌められてサッシ枠４０に係止される外枠としての窓枠４２と、窓枠４２に開閉可能に支持される複数、例えば、２つの窓部材４３とを含む。
窓部材４３は、例えば、ガラス板等の透明板４３ａと、この透明板４３ａを保持する内枠としての枠部材４３ｂとを含む。枠部材４３ｂが、窓枠４２により揺動中心軸線（図示せず）の周りに揺動可能に支持される。
【００２３】
窓枠４２と窓部材４３とは、一体的に扱うことができる窓ユニットの少なくとも一部を構成し、この窓ユニットが開閉窓１３を構成している。
なお、図５では、左側の窓部材４３が開いた状態で図示されているが、第２のサッシユニット７を案内溝１５に沿って落とし込む際には、窓部材４３は閉じた状態とされる。
図１を参照して、本実施形態によれば、第１のサッシユニット６では、そのサッシ枠２０の開口９をサッシ枠２０の略全面となる大面積に形成でき、この開口９を開閉不能な透明板１０で覆うことができる。また、第２のサッシユニット７では、サッシ枠４０の上部開口１１および下部開口１２を合わせた大きさを、サッシ枠４０の略全面となる大面積に形成でき、下部開口１２を開閉不能な透明板１４で覆うことができる。
【００２４】
例えば、透明板１０，１４にガラス板等を用いて、第１および第２のサッシユニット６，７をショーウインドに好ましく適用することができる。しかも、第１および第２のサッシユニット６，７のスライド部２５を一対の柱３の案内溝１５に上方から落とし込んでスライドさせて、一対の柱３への第１および第２のサッシユニット６，７の設置作業を非常に容易にすることができる。さらに、スライド部２５の奥行き寸法Ｌ１がサッシ枠２０，４０の最大奥行き寸法に相当することにより、第１および第２のサッシユニット６，７を壁パネル８と同様に扱うことができ、例えば、第１および第２のサッシユニット６，７の設置の自由度を高くできる。
【００２５】
これに加えて、第２のサッシユニット７では、開閉窓１３を第２のサッシユニット７に一体化してあるので、組立ハウス１に必要な排煙窓を容易に設けることができる。
また、第１および第２のサッシユニット６，７では、上枠２１、下枠２２および左右の縦枠２３，２４の中空部２６，３３内の内面２６ａ，３３ａに沿わせて溝形材３０，３７を嵌め入れてあり、この場合、大面積の開口９を有する第１のサッシユニット６や、大面積の上部開口１１および下部開口１２を有する第２のサッシユニット７を補強することができる。この効果は、上枠２１、下枠２２および左右の縦枠２３，２４の少なくとも一つについて、中空部２６，３３に溝形材３０，３７を沿わせて嵌め入れてあれば良く、より好ましくは、上枠２１、下枠２２および左右の縦枠２３，２４の全てに対応する溝形材３０，３７が嵌め入れてあるのが好ましい。
【００２６】
また、第２のサッシユニット７の開閉窓１３は、窓ユニットにより構成されるようにしてあるので、開閉窓１３を第２のサッシユニット７へ容易に組み込むことができる。
なお、組立ハウス１では、柱３に利用可能な溝形材としては、２つの案内溝１５を有し、２つの案内溝１５を互いに逆向きに開放させたリップ溝形鋼を用いていたが、これには限定されない。例えば、上述の溝形材としては、単一の案内溝１５を有するリップ溝形鋼でもよいし、この他、Ｃ型チャンネル鋼、断面Ｈ字形形状の部材でもよい。
【００２７】
図７を参照して、第２実施形態の組立ハウス１Ａは、ベース枠２の上に立てられていて上下方向Ｚに延びる構造材としての複数の柱３Ａ，３Ｂと、第１および第２のサッシユニット６，７と、壁パネル８と、第１および第２のサッシユニット６，７並びに壁パネル８を係止するための第１および第２の係止部材４４，４５とを有している。複数の柱３Ａ，３Ｂは、互いの間に所定間隔をあけて相対向している。
【００２８】
第１および第２のサッシユニット６，７並びに壁パネル８はそれぞれ、互いに隣接する一対の柱３Ａ，３Ａ間に設置されていて、一対の柱３Ａ，３Ａ間に室外側から前後方向に沿ってスライドさせて取り付けられている（図８および図９参照）。また、図示していないが、第１および第２のサッシユニット６，７並びに壁パネル８はそれぞれ、互いに隣接する一対の柱３Ａ，３Ｂ間に設置することもできるし、互いに隣接する一対の柱３Ｂ，３Ｂ間に設置することもできる。以下では、第１のサッシユニット６が互いに隣接する一対の柱３Ａ，３Ａ間に設置される場合を中心に説明する。
【００２９】
図８を参照して、隣接する一対の柱３Ａ，３Ａには、相対向する一対の案内部としての案内面４６Ａ，４６Ｂと、一対の突出縁部４７Ａ，４７Ｂとがそれぞれ設けられている。突出縁部４７Ａは、案内面４６Ａの室内側縁部４６ａから突出する。突出縁部４７Ｂは、案内面４６Ｂの室内側縁部４６ｂから突出する。一対の突出縁部４７Ａ，４７Ｂは、相対向して突出している。
【００３０】
柱３Ａは、具体的には、２つの案内面４６Ａ，４６Ｂと、２つの突出縁部４７Ａ，４７Ｂとを有している。柱３Ａは、断面矩形の鋼製の中空材４８の室内側側面に、断面溝形の鋼製の溝形材４９を固定してなり、左右対称の断面略Ｔ字形形状をなす。柱３Ａの右半部が一方の案内面４６Ａおよび一方の突出縁部４７Ａを有する。柱３Ａの左半部が他方の案内面４６Ｂおよび他方の突出縁部４７Ｂを有する。各案内面４６Ａ，４６Ｂは、上下方向Ｚおよび前後方向Ｙに沿い、前後方向Ｙに所定長さで形成されている。各突出縁部４７Ａ，４７Ｂは左右方向Ｘに所定長さで形成されている。柱３Ａの右半部にある一方の案内面４６Ａおよび一方の突出縁部４７Ａはそれぞれ、当該柱３Ａの左側に隣接する柱３Ａの左半部にある他方の案内面４６Ｂおよび他方の突出縁部４７Ｂと、互いに対をなし、互いに対向する。
【００３１】
また、柱３Ｂは、断面矩形のアルミニウム製の中空材５０の側面に、断面Ｌ字形形状のアルミニウム製の型材５１を固定してなる。柱３Ｂは、上下方向Ｚおよび前後方向Ｙに沿う単一の案内面４６Ａと、この案内面４６Ａの室内側縁部４６ａから左右方向Ｘに突出する単一の突出縁部４７Ａとを有する。柱３Ｂの案内面４６Ａおよび突出縁部４７Ａは、柱３Ｂの右側に隣接する柱３Ａの左半部にある他方の案内面４６Ｂおよび他方の突出縁部４７Ｂと、互いに対をなし、互いに対向する。なお、柱３Ｂは、図８に示すものに対して、左右を反転させた形状のもの（図示せず）もある。
【００３２】
第１の係止部材４４は、柱３Ａの上端部に固定ボルト５２により固定される。第１の係止部材４４は、当該第１の係止部材４４が固定される柱３Ａの２つの突出縁部４７Ａ，４７Ｂと対向する。第１の係止部材４４は、突出縁部４７Ａ，４７Ｂとの間に、スライド部２５の上端部を挟持状態でそれぞれ係止する。
第２の係止部材４５は、柱３Ａの下端部の近傍でベース枠２に固定ボルト５３により固定される。第２の係止部材４５は、当該第２の係止部材４５の近傍にある柱３Ａの２つの突出縁部４７Ａ，４７Ｂと対向し、この突出縁部４７Ａ，４７Ｂとの間に、スライド部２５の下端部を挟持状態でそれぞれ係止する。
【００３３】
サッシ枠２０の一対の縦枠２３，２４の一対のスライド部２５は、対応する案内面４６Ａ，４６Ｂにそれぞれ沿って、一対の柱３Ａ間に室外側から前後にスライド装着可能とされている。
具体的には、スライド部２５を案内面４６Ａ，４６Ｂに沿わせて前後方向にスライドさせ、スライド部２５を突出縁部４７Ａ，４７Ｂに当接させて、第１のサッシユニット６を一対の柱３Ａ間の所定の装着位置に位置合わせできる。次に、第１および第２の係止部材４４，４５を用いて、第１のサッシユニット６の少なくとも上下２箇所でスライド部２５を係止する。
【００３４】
また、図９に示すように第２のサッシユニット７についても、第１のサッシユニット６と同様にして、対応する案内面４６に沿って一対の柱３Ａ，３Ａ間に室外側から前後にスライド装着することができる。
図７を参照して、第２実施形態によれば、第１のサッシユニット６では、そのサッシ枠２０の開口９をサッシ枠２０の略全面となる大面積に形成でき、この開口９を開閉不能な透明板１０で覆うことができる。また、第２のサッシユニット７では、サッシ枠４０の上部開口１１および下部開口１２を合わせた大きさを、サッシ枠４０の略全面となる大面積に形成でき、下部開口１２を開閉不能な透明板１４で覆うことができる。
【００３５】
例えば、透明板１０，１４にガラス板等を用いて、第１および第２のサッシユニット６，７をショーウインドに好ましく適用することができる。しかも、第１および第２のサッシユニット６，７のスライド部２５を一対の柱３Ａの案内面４６Ａ，４６Ｂに室外側から前後にスライドさせて、一対の柱３Ａへの第１および第２のサッシユニット６，７の設置作業を非常に容易にすることができる（図８および図９参照）。さらに、スライド部２５の奥行き寸法Ｌ１がサッシ枠２０，４０の最大奥行き寸法に相当することにより、第１および第２のサッシユニット６，７を壁パネル８と同様に扱うことができ、例えば、第１および第２のサッシユニット６，７の設置の自由度を高くできる。
【００３６】
これに加えて、第２のサッシユニット７では、開閉窓１３を第２のサッシユニット７に一体化してあるので、組立ハウス１に必要な排煙窓を容易に設けることができる。
また、第２実施形態の柱３Ａは、室外側から見るときに薄くて目立たず、組立ハウス１Ａの見栄えを良くすることができる。
なお、第２実施形態の柱３Ａは、鋼製に限定されず、例えば、断面Ｔ字形形状のアルミニウム製の押出し材により形成されてもよい。
【００３７】
以上、この考案の第１および第２実施形態について説明したが、この考案は他の形態で実施することもできる。例えば、上述の各実施形態の組立ハウス１，１Ａは、第１および第２のサッシユニット６，７をともに有していたが、第１および第２のサッシユニット６，７の何れか一方を有し、他方を有していなくても良い。
また、上述の各実施形態では、透明板１０，１４，４３ａとしてガラス板を用いていたが、これには限定されず、例えば、ガラス板に代えて、アクリル樹脂等で形成された透明な樹脂板を用いてもよいし、透明板１０，１４，４３ａに代えてすりガラス等の半透明板（図示せず）を用いてもよい。
【００３８】
また、補強材としての溝形材３０，３７としては、鋼材を利用していたが、アルミニウム材を利用することも考えられる。また、溝形材３０，３７の少なくとも一つの少なくとも一部分を、必要に応じて廃止することも考えられる。
また、スライド部２５は、左右の縦枠２３，２４と、これに隣接する上枠２１および下枠２２の対応する左右の端部とを含む場合も考えられる。
【００３９】
また、第２のサッシユニット７の開閉窓１３は、２つの窓部材４３を有していたが、これには限定されず、例えば、窓部材４３を単一としてもよいし、３つ以上としてもよい。また、開閉窓１３は窓ユニットを構成していたが、これには限定されず、例えば、窓枠４２をサッシ枠４０と一体に形成して、サッシ枠４０に窓部材４３を開閉可能に支持するようにしてもよい。その他、実用新案登録請求の範囲に記載された事項の範囲で種々の設計変更を施すことが可能である。
【図面の簡単な説明】
【００４０】
【図１】本考案の第１実施形態の組立ハウスの要部の概略正面図である。
【図２】図１の組立ハウスの第１のサッシユニットの組立途中の状態の斜視図である。
【図３】図１の III− III断面を示す第１のサッシユニットの断面図である。
【図４】図１のIV−IV断面を示す第１のサッシユニットの断面図である。
【図５】図１の組立ハウスの第２のサッシユニットの組立途中の状態の斜視図である。
【図６】図５の第２のサッシユニットの正面図である。
【図７】本考案の第２実施形態の組立ハウスの要部の概略正面図である。
【図８】図７の組立ハウスの第１のサッシユニットの組立途中の状態の斜視図である。
【図９】図７の組立ハウスの第２のサッシユニットの組立途中の状態の斜視図である。
【符号の説明】
【００４１】
１，１Ａ  組立ハウス
３  柱（溝形材）
３Ａ，３Ｂ  柱（構造材）
６  第１のサッシユニット
７  第２のサッシユニット
９  開口
１０，１４  透明板
１１  上部開口
１２  下部開口
１３  開閉窓（窓ユニット）
１５  案内溝
２０，４０  サッシ枠
２１  上枠
２２  下枠
２３  左の縦枠
２３ａ  左の縦枠の上下方向の中間部
２４  右の縦枠
２４ａ  右の縦枠の上下方向の中間部
２５  スライド部
２６，３３  中空部
２６ａ，３３ａ  中空部の内面
３０，３７  溝形材
３１，３８  フランジ
４１  中枠
４２  窓枠
４３  窓部材
４６Ａ，４６Ｂ  案内面
Ｌ１  スライド部の奥行き寸法
Ｙ  前後方向
Ｚ  上下方向
【図１】
0003105043.tif 000003
【図２】
0003105043.tif 000004
【図３】
0003105043.tif 000005
【図４】
0003105043.tif 000006
【図５】
0003105043.tif 000007
【図６】
0003105043.tif 000008
【図７】
0003105043.tif 000009
【図８】
0003105043.tif 000010
【図９】
0003105043.tif 000011